(57)【要約】【課題】ドア開口部のサイドステップ部に設けられる照明ユニット付きキッキングプレートにおいて、照明ユニットとカバープレートとの間のシール性を高め、ゴミ、ホコリ等の付着を防止し、清潔感を保ち、かつ外観見栄えを良好に維持する。【解決手段】照明ユニット付きキッキングプレート１０は、合成樹脂成形体からなるキッキングプレート本体２０と、このキッキングプレート本体２０に内蔵される照明ユニット３０と、開口４１を通して照明ユニット３０を外部に露出させるように、キッキングプレート本体２０に取着されるカバープレート４０から構成される。そして、カバープレート４０における開口縁部４１ａに沿って、照明ユニット３０の照光レンズ３４面とカバープレート４０との間を密接シールすることでゴミ、ホコリ等の侵入を防止する。【選択図】図３
2006007845.tif 000002
【特許請求の範囲】
【請求項１】
ドア開口部（３）の下縁に位置するサイドステップ部（４）の上面に取着されるキッキングプレート本体（２０）と、このキッキングプレート本体（２０）に内装される照明ユニット（３０）と、キッキングプレート本体（２０）の表面の一部に装着されるとともに、上記照明ユニット（３０）の照光レンズ（３４）を外部に臨ませる開口（４１）を設けたカバープレート（４０）とからなる照明ユニット付きキッキングプレート（１０）において、
前記カバープレート（４０）の開口縁部（４１ａ）に沿って、照明ユニット（３０）における照光レンズ（３４）の表面とカバープレート（４０）の裏面とが密接シールされていることを特徴とする照明ユニット付きキッキングプレート。
【請求項２】
前記カバープレート（４０）は、キッキングプレート本体（２０）の表面に対して両面接着テープ（５０）を介して接着固定されているとともに、上記照明ユニット（３０）における照光レンズ（３４）の表面には、上記両面接着テープ（５０）の厚みに相当する段部（３４ａ）が形成され、この照光レンズ（３４）の段部（３４ａ）面とカバープレート（４０）を開口縁部（４１ａ）に沿って一部ラップさせることにより、カバープレート（４０）と照光レンズ（３４）とを密接シールしたことを特徴とする請求項１に記載の照明ユニット付きキッキングプレート。
【発明の詳細な説明】
【技術分野】
【０００１】
本発明は、ドア開口部下縁のサイドステップ部に設けられる照明ユニット付きキッキングプレートに係り、特に、照明ユニット周縁部のシール性を高め、ゴミ、ホコリ等が付着するのを防止でき、清潔でかつ良好な見栄えを長期に亘り維持することができる照明ユニット付きキッキングプレートに関する。
【背景技術】
【０００２】
図４に示すように、車両１のドア２を開放した際、ドア開口部３の下縁に位置するサイドステップ部４にキッキングプレート５が装着されている。このキッキングプレート５は、図５に示すように、長尺状の樹脂成形体からなり、開口部３の下縁からフロント縁部の一部に至るように、フロント側がやや上方に湾曲した形状に設定されているキッキングプレート本体６をベースとしており、外観上のアクセント効果を付与するために金属外観を呈するステンレスプレート等のカバープレート７がキッキングプレート本体６の表面の一部に装着されている。更に、最近では、夜間時、乗降の際に乗員の足がつまずくことがないように、足元を照光するための照明ユニット８がキッキングプレート本体６に嵌め込まれているものが多い（例えば、特許文献１参照。）。
【０００３】
そして、通常、図６に示すように、キッキングプレート本体６に対してカバープレート７は厚みが０．５ｍｍ程度の両面接着テープ９を介して貼付され、照明ユニット８の装着部位では、カバープレート７に開口７ａが開設され、この開口７ａを通して、照明ユニット８が室内側に臨んでいる。
【０００４】
【特許文献１】実開平６−１８０７８号公報
【発明の開示】
【発明が解決しようとする課題】
【０００５】
このように、従来の照明ユニット付きキッキングプレート５は、合成樹脂成形体からなるキッキングプレート本体６の表面の一部に金属外観を呈するステンレスプレート等のカバープレート７が製品表面がほぼ面一となるように、両面接着テープ９を介して接着固定されており、特に、照明ユニット８を外部に露出させるように、カバープレート７には開口７ａが開設されている。
【０００６】
しかしながら、上述した照明ユニット付きキッキングプレート５の組付構造としては、キッキングプレート本体６に照明ユニット８を組み込んだ後、照明ユニット８に対応するようにカバープレート７の開口７ａを位置させて、カバープレート７を両面接着テープ９を介してキッキングプレート本体６に接着固定するという構成を採用しているため、照明ユニット８とカバープレート７との間に両面接着テープ９の厚みに相当する隙間（図中符号ａで示す）が生じ、この隙間ａにゴミ、ホコリが付着し易く、頻繁に清掃作業を行なわなければならず、両面接着テープ９にゴミ、ホコリ等が付着した場合、清掃作業が面倒であるとともに、照明ユニット８周縁部の見栄えを低下させるという問題点が指摘されている。
【０００７】
この発明は、このような事情に鑑みてなされたもので、ドア開口部のサイドステップ部に取り付けられる照明ユニット付きキッキングプレートであって、カバープレートの開口縁部に沿って、照明ユニットとカバープレートとの間のシール性を向上させることで、ゴミ、ホコリ等が隙間に入り込むことがなく、清掃作業も簡単に行なえ、しかも、照明ユニットの外観見栄えを良好に維持できる照明ユニット付きキッキングプレートを提供することを目的とする。
【課題を解決するための手段】
【０００８】
上記目的を達成するために、本発明は、ドア開口部の下縁に位置するサイドステップ部の上面に取着されるキッキングプレート本体と、このキッキングプレート本体に内装される照明ユニットと、キッキングプレート本体の表面の一部に装着されるとともに、上記照明ユニットの照光レンズを外部に臨ませる開口を設けたカバープレートとからなる照明ユニット付きキッキングプレートにおいて、前記カバープレートの開口縁部に沿って、照明ユニットにおける照光レンズの表面とカバープレートの裏面とが密接シールされていることを特徴とする。
【０００９】
ここで、キッキングプレート本体は、略コ字状をなす長尺状の樹脂成形体からなり、キッキングプレート本体の長手方向に沿って本体の両側には、それぞれアウター側フランジ（車外側に対向する）及びインナー側フランジ（車内側に対向する）が下方向に向けて形成され、アウター側フランジはインナー側フランジに比べ比較的長寸に設定されている。
【００１０】
そして、このキッキングプレート本体の表面に装着されるカバープレートは、キッキングプレート本体の水平面部からアウター側フランジにかけて位置するように、これも平面状プレートの一方縁に沿って下向きフランジが形成されている。また、キッキングプレート本体が樹脂成形体であることから、カバープレートは、ステンレス、アルミ等の金属プレートを素材とするのが外観上のアクセント効果を強調でき好ましい。更に、カバープレートをキッキングプレート本体に装着した際、製品表面が面一となるように、カバープレート並びに両者間を接着固定する両面接着テープのトータル厚みに等しい寸法深さのプレート収容凹部がカバープレートの外形寸法に等しく、キッキングプレート本体に設けられているのが良い。
【００１１】
そして、カバープレートは、フランジ先端に設けた複数の係止爪をキッキングプレート本体の係止孔内に係止することで取り付けられるとともに、両者間に介在される両面接着テープの接着力により強固に接着固定される。
【００１２】
一方、キッキングプレートにおけるカバープレートを収容するプレート収容凹部内に更に一段落としたユニット収容凹部が形成され、このユニット収容凹部内に照明ユニットが嵌め込まれ、照明ユニットのハウジング下面に設けたクリップ片、爪片等の固定手段をユニット収容凹部の底面に設けた取付孔内に嵌着することで、キッキングプレートに対して照明ユニットが取り付けられる。
【００１３】
そして、キッキングプレート本体に照明ユニットを嵌め込んだ後、その上面側からカバープレートをキッキングプレート本体に取着し、カバープレートに設けた開口を通して照明ユニットの照光レンズ表面が車室内に臨むように構成されているとともに、カバープレートの開口縁部に沿って照明ユニットの照光レンズ表面側とカバープレートとの間が密接シールするように構成されている。
【００１４】
そのためには、照明ユニットの照光レンズがカバープレートの下面と当接するように、両面接着テープの厚みに相当してテープ貼着部位に囲まれる部位が両面接着テープの厚み寸法分表面側に段部として突出させるようにしても良く、また、枠状の凸部を形成するようにしても良い。更に、カバープレートの開口縁部に縁取りシールを嵌着させる構造や、カバープレートの開口縁部に照光レンズの表面と当接する折曲フランジを下向きに形成するようにしても良い。
【００１５】
従って、本発明に係る照明ユニット付きキッキングプレートは、キッキングプレート本体のユニット収容凹部内に照明ユニットを嵌め込み固定した後、その上面側からカバープレートをキッキングプレート本体に対して取り付ければ、カバープレートの開口を通して照明ユニットの照光レンズが外部に臨み、特に、カバープレートの開口縁部に沿ってカバープレートの裏面と照明ユニットの照光レンズ面とが密接シールしているため、従来生じていた両者間の隙間を解消することができ、ゴミ、ホコリ等が照明ユニットの周縁部に付着することがない。
【発明の効果】
【００１６】
以上説明した通り、本発明に係る照明ユニット付きキッキングプレートは、ドア開口部下縁のサイドステップ部に装着されるキッキングプレート本体と、キッキングプレート本体の表面の一部に取着され、外観上のアクセント効果を付与するカバープレートと、キッキングプレート本体に収容固定され、カバープレートに設けた開口を通して外部に臨む照明ユニットとから構成され、特に、カバープレートの開口周縁部に沿っては、照明ユニットの照光レンズ表面とカバープレートの裏面とが密接シールするように構成されているため、カバープレートと照明ユニットの間の見切り部に従来生じていた隙間を解消することができ、照明ユニットの周縁部にゴミ、ホコリ等が付着することがないことから、清掃作業を頻繁に行なう必要がなく、清潔で美麗な状態を長期に亘り維持できるという効果を有する。
【発明を実施するための最良の形態】
【００１７】
以下、本発明に係る照明ユニット付きキッキングプレートの一実施例の構成について、添付図面を参照しながら詳細に説明する。
【実施例】
【００１８】
図１乃至図３は本発明に係る照明ユニット付きキッキングプレートの一実施例を示すもので、図１は照明ユニット付きキッキングプレートの外観図、図２は同照明ユニット付きキッキングプレートの構成を示す分解斜視図、図３は同照明ユニット付きキッキングプレートにおける照明ユニット装着部分の構成を示す断面図である。
【００１９】
まず、図１に示す照明ユニット付きキッキングプレート１０の取付部位は、従来例の図４に示すように、ドア開口部３の下縁に位置するサイドステップ部４の表面側に取り付けられる。すなわち、この照明ユニット付きキッキングプレート１０は、キッキングプレート本体２０と、このキッキングプレート本体２０内に内蔵され、夜間等、乗員が乗降する際、足元を照らす照明ユニット３０と、キッキングプレート本体２０に取着され、キッキングプレート本体２０の表面外観とは異なる表面外観を呈し、外観上のアクセント効果を付与するカバープレート４０とから大略構成されている。
【００２０】
次いで、図２を基に上記各素材の詳細について説明する。まず、キッキングプレート本体２０は、合成樹脂の射出成形体から構成され、断面略コ字状をなす長尺成形体であり、水平面部２０ａの両側、すなわち、車外に対向する側に下向きのアウター側フランジ２０ｂが形成され、同様に、車内に対向する側に下側に向けてインナー側フランジ２０ｃが形成されている。尚、アウター側フランジ２０ｂのほうがインナー側フランジ２０ｃに比べ、その寸法がやや長めに設定されている。
【００２１】
このキッキングプレート本体２０の素材としては、ポリプロピレン（ＰＰ）樹脂、ＡＢＳ樹脂、ポリエチレン（ＰＥ）樹脂等、汎用の熱可塑性樹脂の使用が可能であるが、本実施例ではＰＰ樹脂を使用している。
【００２２】
そして、このキッキングプレート本体２０の水平面部２０ａからアウター側フランジ２０ｂの一部にかけてカバープレート４０の外形に合致するプレート収容凹部２１が形成されており、このプレート収容凹部２１の手前側縁部に沿って複数の係止孔２２が設けられている。更に、このプレート収容凹部２１の一部に照明ユニット３０を収容するためのユニット収容凹部２３が一段深く凹設されており、このユニット収容凹部２３の底面部の前後２箇所に取付孔２４が開設されている。
【００２３】
次に、照明ユニット３０の構成について図３を参考にして説明すると、照明ユニット３０は、ユニットハウジング３１内にＥＬ（エレクトロルミネッサンス）ランプや発光ダイオード等の発光部３２が内蔵され、発光部３２からの照射光、あるいは反射板３３から反射される反射光は、表面の照光レンズ３４を通して外部に照光される。
【００２４】
この照明ユニット３０は、キッキングプレート本体２０のユニット収容凹部２３内に嵌め込まれ、ユニットハウジング３１の下面に突設したクリップ片、あるいは爪片（図示せず）を取付孔２４内に嵌着することで簡単に固着される。
【００２５】
また、この照光レンズ３４は、ポリカーボネート樹脂等の合成樹脂材より構成され、特に、本実施例においては、照光レンズ３４の表面の周縁部（両面接着テープ５０が貼付され、かつカバープレート４０により被覆される部位）に０．５ｍｍの肉抜きが施されていることにより、照光レンズ３４の表面は、周縁に比べ室内に臨む面は０．５ｍｍ程度の段部３４ａを介して一段高く設定されている。このことは、照光レンズ３４とカバープレート４０とのシール性を高めるために重要である。
【００２６】
次いで、カバープレート４０は、キッキングプレート本体２０が合成樹脂材からなる樹脂外観をもつことから、両者の外観上のアクセント効果を強調するために、ステンレスプレートやアルミプレート等の金属外観を有する金属プレートが好ましく、この実施例では強度や耐久性を考慮して０．６ｍｍ厚みのステンレスプレートが使用されている。
【００２７】
更に、このカバープレート４０は、照明ユニット３０を外部に臨ませるために、照明ユニット３０における照光レンズ３４の外形より一回り小さめの開口４１が開設されている。また、キッキングプレート本体２０の水平面部２０ａからアウター側フランジ２０ｂの一部にかけて凹設されているプレート収容凹部２１内にカバープレート４０が嵌装されるように、カバープレート４０には、フランジ４２が形成され、このフランジ４２の下端縁に沿って上記キッキングプレート本体２０の係止孔２２に対応する位置に係止爪４３が複数箇所に突設形成されている。
【００２８】
そして、キッキングプレート本体２０、照明ユニット３０、カバープレート４０を組み付けるには、キッキングプレート本体２０のユニット収容凹部２３内に照明ユニット３０を収容し、ユニットハウジング３１の固定具をユニット収容凹部２３の底面に設けた取付孔２４内に嵌着して、照明ユニット３０をキッキングプレート本体２０に固着する。次いで、キッキングプレート本体２０のプレート収容凹部２１内に収まるようにカバープレート４０を装着し、その際、カバープレート４０のフランジ４２の下縁に沿って設けた係止爪４３をキッキングプレート本体２０の係止孔２２内に係着するとともに、両面接着テープ５０を介して両者を接着固定する。その結果、キッキングプレート本体２０のプレート収容凹部２１内にカバープレート４０を係止爪４３の係着作用と両面接着テープ５０の接着作用により強固に固着する。
【００２９】
この時、図３に示すように、照明ユニット３０における照光レンズ３４の表面は、両面接着テープ５０が貼付される面に囲まれる部分は、両面接着テープ５０の厚み０．５ｍｍに相当する段部３４ａを介して上方に突出しており、かつこの段部３４ａからカバープレート４０の開口縁部４１ａが内側寄りに１ｍｍ以上ラップしている（図中ラップ寸法を符号ｄで示す）。
【００３０】
従って、カバープレート４０の開口縁部４１ａに沿っては、照明ユニット３０の照光レンズ３４表面部と、カバープレート４０の裏面との間には、１ｍｍ以上のラップ寸法ｄで両者が密接シールしているため、この部分からゴミ、ホコリ等が内部に入り込むことがない。
【００３１】
以上のように、照明ユニット付きキッキングプレート１０は、乗員が乗降する際、ゴミ、ホコリ等が付着し易いという性質を有してはいるが、照明ユニット３０とカバープレート４０との間に隙間が発生しないため、ゴミ、ホコリ等が付着する恐れがなく、面倒な清掃作業の頻度も少なくて済み、長期に亘り美麗な製品外観を維持でき、車室内の清潔感向上にも役立つ。
【産業上の利用可能性】
【００３２】
この実施例では、カバープレート４０の開口縁部４１ａに沿って、照明ユニット３０の照光レンズ３４の表面とカバープレート４０との間のシール性を高めるために、照光レンズ３４の表面周縁に比べ段部３４ａを介して一段高いレンズ面に設定したが、カバープレート４０の開口縁部４１ａに沿う凸条を照光レンズ表面にフレーム状に設けてこの部位でシール性を保つようにしても良い。また、カバープレート４０の開口縁部４１ａに下向きフランジを形成するか、縁取りシール部材を嵌め込んでも良い。
【図面の簡単な説明】
【００３３】
【図１】本発明に係る照明ユニット付きキッキングプレートの一実施例の構成を示す外観図である。
【図２】図１に示す照明ユニット付きキッキングプレートの構成を示す分解斜視図である。
【図３】図１中III −III 線断面図であり、照明ユニット付きキッキングプレートの構成を示す断面図である。
【図４】キッキングプレートの設置箇所を示すドアを開放した車両を車外側から見た説明図である。
【図５】従来の照明ユニット付きキッキングプレートの外観図である。
【図６】図５中VI−VI線断面図である。
【符号の説明】
【００３４】
１０  照明ユニット付きキッキングプレート
２０  キッキングプレート本体
２０ａ  水平面部
２０ｂ  アウター側フランジ
２０ｃ  インナー側フランジ
２１  プレート収容凹部
２２  係止孔
２３  ユニット収容凹部
２４  取付孔
３０  照明ユニット
３１  ユニットハウジング
３２  発光部
３３  反射板
３４  照光レンズ
３４ａ  段部
４０  カバープレート
４１  開口
４１ａ  開口縁部
４２  フランジ
４３  係止爪
５０  両面接着テープ
【図１】
2006007845.tif 000003
【図２】
2006007845.tif 000004
【図３】
2006007845.tif 000005
【図４】
2006007845.tif 000006
【図５】
2006007845.tif 000007
【図６】
2006007845.tif 000008